(57)【特許請求の範囲】
【請求項１】
車両の内装用壁材に設けられたランプ取付穴に、ランプユニットを取り付ける為の室内ランプの固定構造であって、
前記ランプユニットは、前記内装用壁材の室内側に配置される意匠部と、前記内装用壁材の室外側に配置され、前記ランプ取付穴を通して前記意匠部に結合することによって前記内装用壁材を挟持した状態で組み付けられる機能部とを備え、
前記機能部には、車体側の配線に接続されたコネクタが接続されるコネクタ部が設けられ、
前記意匠部には、前記機能部と組み付けられた際に前記コネクタ部と共にコネクタ挿入部を形成し、該コネクタ挿入部に挿入された前記コネクタと係合することにより、前記意匠部が前記機能部から離脱方向へ変位するのを規制する規制部が設けられることを特徴とする室内ランプの固定構造。
【請求項２】
前記規制部が、前記コネクタ挿入部に挿入される前記コネクタの外周部を囲む枠形状に形成されることを特徴とする請求項１に記載の室内ランプの固定構造。
【請求項３】
前記規制部が、前記コネクタの外周部に設けられた係合ロック部に係止可能な係止部を有することを特徴とする請求項１又は請求項２に記載の室内ランプの固定構造。
【発明の詳細な説明】
【技術分野】
【０００１】
本発明は、ランプユニットを内装用壁材のランプ取付穴に取り付けるための室内ランプの固定構造に関する。
【背景技術】
【０００２】
従来、ルームランプ等のランプユニットをルーフトリム等の内装用壁材に取り付ける室内ランプの固定構造として、天井板（内装用壁材）の取付穴を通して室内側に設けられる意匠部と室外側に設けられる機能部とを結合させることにより、天井板を挟持した状態に固定される車載用室内照明装置（ランプユニット）が知られている（例えば、特許文献１参照）。
【０００３】
このような車載用室内照明装置の固定構造においては、意匠部と機能部とを結合させる際に、意匠部の側板に設けられ側方へ突出する係止爪に、機能部に設けられた弾性変形可能な操作板の被係止部を係止させる。そして、前記操作板における前記側板と対向する面と反対側の面に当接するスペーサによって、前記被係止部の前記係止爪からの解除を阻止する構成とされている。
そこで、例えば、カーテンエアーバッグなどの作動時に強い衝撃を受けた場合でも、操作板が不用意に撓み、結合が外れた意匠部が室内に落下、飛散することを防止できる。
【先行技術文献】
【特許文献】
【０００４】
【特許文献１】特開２００９−１４３５３１
【発明の概要】
【発明が解決しようとする課題】
【０００５】
しかしながら、上述の如きスペーサを用いて意匠部と機能部との結合強度を高め、内装用壁材に対するランプユニットの取付強度を向上させた室内ランプの固定構造の場合、意匠部及び機能部とは別部品のスペーサが必要となり、部品数増加に伴うコストアップ及び組立作業効率の低下等を招くという問題があった。
【０００６】
本発明は、上述した事情に鑑みてなされたものであり、その目的は、部品数を増加させずに内装用壁材に対するランプユニットの取付強度を向上させることができる室内ランプの固定構造を提供することにある。
【課題を解決するための手段】
【０００７】
前述した目的を達成するため、本発明に係る室内ランプの固定構造は、下記（１）〜（３）を特徴としている。
（１）  車両の内装用壁材に設けられたランプ取付穴に、ランプユニットを取り付ける為の室内ランプの固定構造であって、
前記ランプユニットは、前記内装用壁材の室内側に配置される意匠部と、前記内装用壁材の室外側に配置され、前記ランプ取付穴を通して前記意匠部に結合することによって前記内装用壁材を挟持した状態で組み付けられる機能部とを備え、
前記機能部には、車体側の配線に接続されたコネクタが接続されるコネクタ部が設けられ、
前記意匠部には、前記機能部と組み付けられた際に前記コネクタ部と共にコネクタ挿入部を形成し、該コネクタ挿入部に挿入された前記コネクタと係合することにより、前記意匠部が前記機能部から離脱方向へ変位するのを規制する規制部が設けられること。
（２）  上記（１）の構成の室内ランプの固定構造において、
前記規制部が、前記コネクタ挿入部に挿入される前記コネクタの外周部を囲む枠形状に形成されること。
（３）  上記（１）の構成の室内ランプの固定構造において、
前記規制部が、前記コネクタの外周部に設けられた係合ロック部に係止可能な係止部を有すること。
【０００８】
上記（１）の構成の室内ランプの固定構造では、意匠部に設けた規制部が、コネクタ挿入部に挿入されたコネクタと係合することにより、当該意匠部が機能部から離脱方向へ変位するのを規制することができる。
そこで、強い衝撃を受けた場合でも、機能部との結合が外れた意匠部が室内に落下、飛散することを防止できる。
また、スペーサを用いた従来の固定構造のように、部品数増加に伴うコストアップ及び組立作業効率の低下等を招くことがない。
【０００９】
上記（２）の構成の室内ランプの固定構造では、意匠部に設けられる規制部を枠形状とすることにより、形成の容易な簡単な形状でありながら当該意匠部が機能部から離脱方向へ変位するのを強固に規制することができる。
【００１０】
上記（３）の構成の室内ランプの固定構造では、コネクタの外周部に設けられた係合ロック部を係止し、該コネクタをコネクタ挿入部にロックする係止部が、意匠部に設けられる規制部に形成されるので、機能部に設けられるコネクタ部の構造を簡略化できる。
【発明の効果】
【００１１】
本発明によれば、部品数を増加させずに内装用壁材に対するランプユニットの取付強度を向上させることができる室内ランプの固定構造を提供できる。
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】本発明の一実施形態に係る室内ランプの固定構造を説明するため、ランプユニットを内装用壁材の室内側から見た状態の分解斜視図である。
【図２】本発明の一実施形態に係る室内ランプの固定構造を説明するため、ランプユニットを内装用壁材の室外側から見た状態の分解斜視図である。
【図３】図１に示したランプユニットの機能部を内装用壁材に取付けた状態を示す分解断面図であり、（ａ）は縦断面、（ｂ）は（ａ）のＢ−Ｂ縦断矢視図である。
【図４】図３に示したランプユニットの機能部と意匠部を結合した状態を示す断面であり、（ａ）は縦断面、（ｂ）は（ａ）のＤ−Ｄ縦断矢視図である。
【図５】図４に示したランプユニットを内装用壁材の室外側から見た状態の斜視図である。
【図６】コネクタがランプユニットのコネクタ挿入部に挿入された状態を内装用壁材の室外側から見た状態の斜視図である。
【図７】図６に示したランプユニットの縦断面図である。
【発明を実施するための形態】
【００１３】
以下、添付図面に基づいて本発明の一実施形態に係る室内ランプの固定構造を詳細に説明する。
本発明の一実施形態に係る室内ランプの固定構造は、図１及び図２に示したように、車体パネル（図示せず）を覆うルーフトリム（内装用壁材）５に設けられたランプ取付穴５１に、ルームランプ（ランプユニット）１を取り付ける例を示したものである。
【００１４】
本実施形態のルームランプ１は、図１〜図４に示すように、ルーフトリム５の室内側に配置される意匠部２と、ルーフトリム５の室外側に配置され、ランプ取付穴５１を通して意匠部２に結合することによってルーフトリム５を挟持した状態で組み付けられる機能部３とを備える。
【００１５】
意匠部２は、ベースハウジング２１と、このベースハウジング２１の下面側に装着された透明又は半透明のカバーレンズ２２とを備えている。ベースハウジング２１は、車両の室内側に露呈する矩形状の枠板部２３と、枠板部２３の上面周縁に沿って形成され且つ上方へ立ち上がる突出部２４と、カバーレンズ２２の上面を覆う底壁部２７とを備える。
【００１６】
枠板部２３の一部（本実施の形態では長手方向の一端部）には、スイッチ収納部２５が形成されている。このスイッチ収納部２５は、枠板部２３に対して上下方向に出没可能なスイッチ操作部材４１を有しており、後述する機能部３のスイッチ４４が収納されて、このスイッチ４４の押圧操作を可能にする。
【００１７】
ベースハウジング２１の突出部２４は、図２に示すように、枠板部２３の上面側に底壁部２７をほぼ取り囲むように突出する壁部である。
この突出部２４の一対の対向する両側壁（本実施形態では枠板部２３の長手方向と直交する方向の両側壁）には、側方に向けて二対の係止爪２６が形成されている。図３（ｂ）に示すように、この係止爪２６は、突出部２４の突出方向側にテーパ面２６ａが形成され、この突出方向と逆方向側に突出部２４の側面に直角をなす係止面２６ｂが形成されている。
【００１８】
また、突出部２４の前側壁（本実施形態ではスイッチ収納部２５が形成された側の長手方向の一端側壁）にも、内方に向けて係止爪２９が形成されている。図３（ａ）に示すように、この係止爪２９は、突出部２４の突出方向側にテーパ面２９ａが形成され、この突出方向と逆方向側に突出部２４の側面に直角をなす係止面２９ｂが形成されている。
【００１９】
更に、突出部２４の後側（本実施形態ではスイッチ収納部２５と反対側の長手方向の他端側）には、機能部３と組み付けられた際に、後述するコネクタ部３６と共にコネクタ挿入部４０を形成し、該コネクタ挿入部４０に挿入されたコネクタ７と係合することにより、意匠部２が機能部３から離脱方向へ変位するのを規制する意匠部側コネクタ挿入枠（規制部）２８が設けられている。
【００２０】
この意匠部側コネクタ挿入枠２８は、枠板部２３の上面から立ち上がった一対の垂直部２８ｂと、これら垂直部２８ｂの上端に架設された係止部２８ａとから成る略コ字形状の枠とされている。
尚、この意匠部側コネクタ挿入枠２８の開口高さｈは、コネクタ挿入部４０に挿入されるコネクタ７の高さと略同じ寸法を有している。
また、本実施形態に係る意匠部側コネクタ挿入枠２８の係止部２８ａは、コネクタ７の上面（外周面）に設けられた係合爪（係合ロック部）７１に係止可能な係止部とされている。
【００２１】
ベースハウジング２１の底壁部２７は、図２に示すように、カバーレンズ２２の上面を覆う遮光部であり、カバーレンズ２２の導光部形状に合わせて下方を向いた凹形状を有し、カバーレンズ２２の入射面２２ａに対応した開口２７ａを有する。
【００２２】
機能部３は、図１に示すように、合成樹脂で一体成型されたハウジング３１を備えている。ハウジング３１は、下面側に光源４２とスイッチ４４と接続パッド４５とが配置された回路基板４を収容保持する基板配置空間３３が設けられている。ハウジング３１の基板配置空間３３の両側には、回路基板４の側縁に係合して保持するための二対の係止片３２が設けられている。
なお、意匠部２と機能部３とをルーフトリム５を介して組み付けた際には、基板配置空間３３を覆うように底壁部２７が対向するとともに、スイッチ４４がスイッチ収納部２５に収納されてスイッチ４４の操作が可能となる（図４参照）。
【００２３】
ハウジング３１の両側下面には、ルーフトリム５の取付穴５１の両側周縁部に当接する挟持板部３７が形成されている。この挟持板部３７は、ルーフトリム５の取付穴５１の長手方向の長さと同等の長さを有している。
【００２４】
ハウジング３１の両側には、挟持板部３７よりも内側の位置に係止板３８がそれぞれ二対設けられている。係止板３８は、下部に横方向に架設された被係止部３８ａと、この被係止部３８ａの両端部よりそれぞれ立ち上がって上端部がハウジング３１と一体に設けられている一対の垂下部３８ｂとからなる略コ字形状の板である。この係止板３８の内側には、上記意匠部２における係止爪２６が形成された部分の突出部２４を挿入可能な突出部挿入空間３８ｃを有する。また、係止板３８の被係止部３８ａは、上記意匠部２の係止爪２６と対応する位置に配置されている。
【００２５】
また、ハウジング３１の前側（図３（ａ）中、右側）には、係止板３９が設けられている。係止板３９は、下部に横方向に架設された被係止部３９ａと、この被係止部３９ａの両端部よりそれぞれ立ち上がって上端部がハウジング３１と一体に設けられている一対の垂下部３９ｂとからなる略コ字形状の板である。また、係止板３９の被係止部３９ａは、上記意匠部２の係止爪２９と対応する位置に配置されている。
【００２６】
また、図１〜図４に示すように、機能部３の側部（本実施形態ではスイッチ収納部２５と反対側の長手方向の他端部）には、コネクタ部３６を有している。
このコネクタ部３６は、ハウジング３１に一体形成された上部壁３６ａと機能部側コネクタ挿入枠３６ｂを有しており、意匠部２と機能部３とを組み付けた際には、意匠部２のベースハウジング２１に一体成形された意匠部側コネクタ挿入枠２８と共にコネクタ挿入部４０を形成する。
【００２７】
上部壁３６ａは、該上部壁３６ａの下方に設けられた一対のガイドリブ３６ｃと協働して、コネクタ挿入部４０に挿入されたコネクタ７の上下方向の位置規制をする。断面コ字形状の機能部側コネクタ挿入枠３６ｂは、コネクタ挿入部４０に挿入されるコネクタ７の挿入案内をする。
また、ハウジング３１における上部壁３６ａと機能部側コネクタ挿入枠３６ｂの間には、図３（ａ）に示すように、上記意匠部２における意匠部側コネクタ挿入枠２８を挿入可能な規制部挿入空間３４を有する。
【００２８】
そして、このコネクタ挿入部４０には、光源４２およびスイッチ４４が接続された回路基板４の接続パッド４５が突出しており、ルームトリム５の上側を配索されたワイヤーハーネス６に接続されたコネクタ７がこの接続パッド４５に電気的に接続される（図７参照）。尚、本実施形態においては、光源４２としてＬＥＤ（Light Emitting Diode）を用いた例を示したが、電球バルブ等の種々の光源を用いることができることは勿論である。
【００２９】
次に、本実施形態に係るルームランプ１の取付手順について説明する。
先ず、図１〜３に示すように、ルーフトリム５のランプ取付穴５１の下方から意匠部２の突出部２４を嵌め込む。ルーフトリム５のランプ取付穴５１の上方からは、意匠部２に対応させて機能部３を被せる。この結果、機能部３の光源４２が意匠部２におけるカバーレンズ２２の入射面２２ａと対面し、機能部３のスイッチ４４が意匠部２のスイッチ収納部２５内に収納される。
【００３０】
このとき、機能部３における係止板３８の内側の突出部挿入空間３８ｃには、意匠部２の突出部２４が挿入される。突出部２４の外側面に突設された係止爪２６のテーパ面２６ａが、係止板３８の被係止部３８ａを外側へ弾性変形させながら突出部挿入空間３８ｃを奥に進み、係止爪２６が被係止部３８ａを通過すると、被係止部３８ａは弾性変形しない元の状態に戻る。
【００３１】
また、機能部３における係止板３９の外側には、意匠部２の突出部２４が挿入される。突出部２４の内側面に突設された係止爪２９のテーパ面２９ａが、係止板３９の被係止部３９ａを内側へ弾性変形させながら奥に進み、係止爪２９が被係止部３９ａを通過すると、被係止部３９ａは弾性変形しない元の状態に戻る。
更に、機能部３におけるコネクタ部３６の規制部挿入空間３４には、意匠部２の意匠部側コネクタ挿入枠２８が挿入され、意匠部側コネクタ挿入枠２８の係止部２８ａが、コネクタ部３６の上部壁３６ａと同じ高さに達し、コネクタ挿入部４０を形成する。
【００３２】
そして、図４に示すように、係止爪２６の係止面２６ｂが被係止部３８ａの上面に当接すると共に、係止爪２９の係止面２９ｂが被係止部３９ａの上面に当接するため、意匠部２と機能部３との結合が外れる方向に負荷がかかっても解除されない状態となる。
また、図５に示すように、ルーフトリム５に取付けられ、ルーフトリム５の室外側に配置されたルームランプ１の後側には、機能部３のコネクタ部３６と意匠部２の意匠部側コネクタ挿入枠２８とによってコネクタ挿入部４０が構成される。
【００３３】
次に、コネクタ挿入部４０にコネクタ７が挿入される。コネクタ７の上面に設けられた係合爪７１の被係合部７１ａが、係止部２８ａの下面により下方へ弾性変形されながら奥に進み、被係合部７１ａが係止部２８ａを通過すると、係合爪７１は弾性変形しない元の状態に戻る。
【００３４】
そして、図６及び図７に示すように、コネクタ挿入部４０に挿入されたコネクタ７が結合完了位置に達すると、コネクタ７内の端子８が接続パッド４５に接続されてワイヤーハーネス６と回路基板４が電気的に接続される
この際、意匠部側コネクタ挿入枠２８を貫通したコネクタ７は、係合爪７１の被係合部７１ａが係止部２８ａに係止されたロック状態となるため、コネクタ挿入部４０との結合が外れる方向に負荷がかかっても外れない状態となる。
このようにして、ルーフトリム５に対してルームランプ１の取り付けが完了する。
【００３５】
この様な本実施形態に係るルームランプ１の固定構造では、コネクタ７をコネクタ挿入部４０に挿入することで、意匠部２に設けた意匠部側コネクタ挿入枠２８と機能部３に設けたコネクタ部３６とを貫通したコネクタ７がカンヌキ状態となる。
そこで、意匠部側コネクタ挿入枠２８が、コネクタ挿入部４０に挿入されたコネクタ７と係合することにより、意匠部２が機能部３から離脱方向へ変位するのを規制することができる。
【００３６】
従って、例えばカーテンエアーバッグなどの作動に伴って不用意な負荷がルームランプ１にかかり、強い衝撃を受けた係止爪２６，２９が不所望に撓んだ場合でも、意匠部側コネクタ挿入枠２８とネクタ部３６とをカンヌキ状態に貫通したコネクタ７は、機能部３との結合が外れた意匠部２が室内に落下、飛散することを防止できる。
【００３７】
本実施形態に係るルームランプ１の固定構造では、機能部３と組み付けられた際にコネクタ部３６と共にコネクタ挿入部４０を形成する意匠部側コネクタ挿入枠２８を意匠部２に一体成形することで、意匠部２が機能部３から離脱方向へ変位するのを規制することができる。
従って、従来の固定構造のように、意匠部及び機能部とは別部品のスペーサ等が必要とならず、部品数増加に伴うコストアップ及び組立作業効率の低下等を招くことがない。
【００３８】
また、本実施形態に係るルームランプ１の固定構造では、意匠部２に設けられる意匠部側コネクタ挿入枠２８を枠形状とすることにより、形成の容易な簡単な形状でありながら当該意匠部２が機能部３から離脱方向へ変位するのを強固に規制することができる。
更に、意匠部側コネクタ挿入枠２８の係止部２８ａは、コネクタ７の上面に設けられた係合爪７１に係止可能な係止部を兼ねているので、機能部３に設けられるコネクタ部３６の構造を簡略化できる。
【００３９】
尚、本発明の室内ランプの固定構造に係るランプユニット、意匠部、機能部、コネクタ部、コネクタ挿入部、規制部、コネクタ及び係合ロック部等の構成部材は、上記実施形態の構成に限定されるものではなく、本発明の趣旨に基づいて種々の形態を採りうる。
上記実施形態おいては、内装用壁材であるルーフトリム５にランプユニットであるルームランプ１を取り付ける場合を例に説明したが、ルーフトリムに取り付けるマップランプや、ドアトリム等に取り付けるカーテシランプ等の種々のランプユニットの固定構造にも応用できることは勿論である。
【００４０】
上記実施形態においては、意匠部２に設けられる規制部としてコネクタ７の外周部を囲む矩形の枠形状の意匠部側コネクタ挿入枠２８を用いたが、コネクタの断面形状に合わせて円形等の他の枠形状を用いることもできる。また、例えば意匠部３における枠板部２３の上面から立ち上がった一対の垂直部と、これら垂直部の上端にそれぞれ先端が対向するように延設されたＬ字形状の屈曲部とで規制部を形成しても良い。
【００４１】
即ち、本発明における規制部は、機能部のコネクタ部と共にコネクタ挿入部を形成する意匠部の一部であり、該コネクタ挿入部に挿入されたコネクタを介して作用する負荷に耐え得る十分な剛性を有する形状であれば種々の形態を採りうる。
また、上記実施形態においては、コネクタ部３６内の接続パッド４５に接続されるコネクタとしてカードエッジタイプのコネクタ７を用いたが、コネクタ部の形式に応じた他のタイプのコネクタを用いることもできる。
【００４２】
更に、コネクタをコネクタ挿入部にロック状態とする為、該コネクタに設けられる係合ロック部は、コネクタの外周面であれば上面に限らず下面や左右側面に設けても良い。そこで、上記実施形態においては、規制部である意匠部側コネクタ挿入枠２８の上端に架設した係止部２８ａがコネクタ７の係合爪７１に係止可能な係止部とされたが、該係止部はコネクタに設けられる係合ロック部の位置に対応して、意匠部側コネクタ挿入枠２８の内周縁の何処に設けても良い。
また、コネクタに接続される配線としても、上記実施形態のワイヤーハーネスに限らず、ＦＰＣ（フレキシブルプリント配線基板）及びリボン電線等のフラット回路体や、ＦＦＣ（フレキシブル・フラット・ケーブル）等を用いることができる。
【符号の説明】
【００４３】
１  ルームランプ（ランプユニット）
２  意匠部
３  機能部
４  回路基板
５  ルーフトリム（内装用壁材）
６  ワイヤーハーネス（配線）
７  コネクタ
２８  意匠部側コネクタ挿入枠（規制部）
２８ａ  係止部
３６  コネクタ部
４０  コネクタ挿入部
５１  ランプ取付穴
７１  係合爪（係合ロック部）
【図１】
0005721446.tif 000002
【図２】
0005721446.tif 000003
【図３】
0005721446.tif 000004
【図４】
0005721446.tif 000005
【図５】
0005721446.tif 000006
【図６】
0005721446.tif 000007
【図７】
0005721446.tif 000008